(57)【要約】【課題】テーブルや床、あるいは地面の上に置く形でもランタンとして使用でき、周囲に光を行き届かせることができるランタンアタッチメント付き携帯電灯を提供する。【解決手段】携帯電灯１の発光ヘッド３にランタンアタッチメント１０が着脱自在に取り付けられる。ランタンアタッチメント１０は光透過材料製のスカート部１３を備え、スカート部１３の一端には携帯電灯１への連結部１１、他端にはランタンアタッチメント１０自身及び携帯電灯１を平面上に起立させる底面部１２が形成されている。底面部１２は、携帯電灯１のランプ５に正対する側が、ランプ５からの出射光をスカート部１３から周囲に向かう出射光に転換する反射鏡１７ａとされている。反射鏡１７ａの少なくとも一部は、ランプ５の光軸から中心がずれた円弧を光軸まわりに回転させた形状となっている。【選択図】図３
2011228132.tif 000002
【特許請求の範囲】
【請求項１】
発光部にランタンアタッチメントが取り付けられる携帯電灯であって、
前記ランタンアタッチメントは光透過材料製のスカート部を備え、前記スカート部の一端には当該携帯電灯への連結部、他端にはランタンアタッチメント自身及び当該携帯電灯を平面上に起立させる底面部が形成され、前記底面部は、当該携帯電灯のランプに正対する側が、当該ランプからの出射光を前記スカート部から周囲に向かう出射光に転換する反射鏡とされていることを特徴とするランタンアタッチメント付き携帯電灯。
【請求項２】
前記ランタンアタッチメントの反射鏡の少なくとも一部は、前記ランプの光軸から中心がずれた円弧を当該光軸まわりに回転させた形状となっていることを特徴とする請求項１に記載のランタンアタッチメント付き携帯電灯。
【請求項３】
前記ランタンアタッチメントの反射鏡は、裾野部分の方が中心部分に比べて前記ランプの光軸に対する角度が大きくなっていることを特徴とする請求項１または２に記載のランタンアタッチメント付き携帯電灯。
【請求項４】
前記ランタンアタッチメントのスカート部に、光拡散用の凹凸パターンが形成されていることを特徴とする請求項１から３のいずれか１項に記載のランタンアタッチメント付き携帯電灯。
【請求項５】
前記ランタンアタッチメントが当該携帯電灯の発光部に着脱自在に取り付けられることを特徴とする請求項１から４のいずれか１項に記載のランタンアタッチメント付き携帯電灯。
【請求項６】
前記ランタンアタッチメントは、当該携帯電灯の筐体に分離不能に連結され、前記ランプの光軸方向にスライド可能となっており、前記反射鏡は、中心に前記ランプの通過を可能とする貫通穴が形成されているとともに、裏面は集光用反射鏡とされていることを特徴とする請求項１から４のいずれか１項に記載のランタンアタッチメント付き携帯電灯。
【発明の詳細な説明】
【技術分野】
【０００１】
本発明はランタンアタッチメント付き携帯電灯に関する。
【背景技術】
【０００２】
携帯電灯は、通常、一方向に光を照射するものであるが、屋外でキャンプをする場合や、停電時には、周囲全体を照らすランタンとして使えると便利である。そのような要請を満たすため、ランタンとして使えるアタッチメントを付属させた携帯電灯が提案されている。その例を特許文献１に見ることができる。
【０００３】
特許文献１に記載された携帯電灯は、携帯電灯に発光部分を覆うフードを組み合わせ、フードを取り外した場合は一般的な携帯電灯として機能し、フードを取り付けた場合はランタンとして使用できるようにしている。
【先行技術文献】
【特許文献】
【０００４】
【特許文献１】特開２００２−３１３１２３号公報（国際特許分類：Ｆ２１Ｖ１３／００、Ｆ２１Ｌ４／００、Ｆ２１Ｓ２／００、Ｆ２１Ｙ１０１：０２）
【発明の概要】
【発明が解決しようとする課題】
【０００５】
特許文献１に記載された携帯電灯は、フードが球形であるから、ランタンとして使用する場合、フードを下にして吊り下げて使用することになる。従って、吊り下げることのできる支持部が存在しない環境では使いづらい。また、フードによって多少拡散されるとは言うものの、光は依然としてランプの光軸方向を主体として照射されるから、吊り下げた場所の真下は明るいが、周囲には光が行き届かないといったことになりやすい。
【０００６】
本発明は上記の点に鑑みなされたものであり、テーブルや床、あるいは地面の上に置く形でもランタンとして使用でき、周囲に光を行き届かせることができるランタンアタッチメント付き携帯電灯を提供することを目的とする。
【課題を解決するための手段】
【０００７】
本発明の好ましい実施形態によれば、ランタンアタッチメント付き携帯電灯は、発光部にランタンアタッチメントが取り付けられるものであって、前記ランタンアタッチメントは光透過材料製のスカート部を備え、前記スカート部の一端には当該携帯電灯への連結部、他端にはランタンアタッチメント自身及び当該携帯電灯を平面上に起立させる底面部が形成され、前記底面部は、当該携帯電灯のランプに正対する側が、当該ランプからの出射光を前記スカート部から周囲に向かう出射光に転換する反射鏡とされている。
【０００８】
本発明の好ましい実施形態によれば、上記構成のランタンアタッチメント付き携帯電灯において、前記ランタンアタッチメントの反射鏡の少なくとも一部は、前記ランプの光軸から中心がずれた円弧を当該光軸まわりに回転させた形状となっている。
【０００９】
本発明の好ましい実施形態によれば、上記構成のランタンアタッチメント付き携帯電灯において、前記ランタンアタッチメントの反射鏡は、裾野部分の方が中心部分に比べて前記ランプの光軸に対する角度が大きくなっている。
【００１０】
本発明の好ましい実施形態によれば、上記構成のランタンアタッチメント付き携帯電灯において、前記ランタンアタッチメントのスカート部に、光拡散用の凹凸パターンが形成されている。
【００１１】
本発明の好ましい実施形態によれば、上記構成のランタンアタッチメント付き携帯電灯において、前記ランタンアタッチメントが当該携帯電灯の発光部に着脱自在に取り付けられる。
【００１２】
本発明の好ましい実施形態によれば、上記構成のランタンアタッチメント付き携帯電灯において、前記ランタンアタッチメントは、当該携帯電灯の筐体に分離不能に連結され、前記ランプの光軸方向にスライド可能となっており、前記反射鏡は、中心に前記ランプの通過を可能とする貫通穴が形成されているとともに、裏面は集光用反射鏡とされている。
【発明の効果】
【００１３】
本発明によると、ランタンアタッチメントにはそれ自身及び携帯電灯を平面上に起立させる底面部が形成されているから、上から吊り下げるまでもなく、テーブルや床、あるいは地面の上に置いてランタンとして使用でき、使い勝手が良い。また、前記底面部は、携帯電灯のランプに正対する側が、当該ランプからの出射光を前記スカート部から周囲への出射光に転換する反射鏡とされているから、周囲に光を行き届かせることができる。
【図面の簡単な説明】
【００１４】
【図１】本発明の第１実施形態に係るランタンアタッチメント付き携帯電灯の側面図にして、携帯電灯とランタンアタッチメントを分離状態で示すものである。
【図２】前記ランタンアタッチメント付き携帯電灯の側面図にして、携帯電灯とランタンアタッチメントを連結状態で示すものである。
【図３】図２のランタンアタッチメント付き携帯電灯の断面図である。
【図４】ランタンアタッチメントの側面図である。
【図５】ランタンアタッチメントの底面図である。
【図６】図４のＡ−Ａ線に沿って切断したランタンアタッチメントの断面図である。
【図７】ランタンアタッチメントの反射鏡形状について説明する断面図である。
【図８】携帯電灯の集光特性についての説明図である。
【図９】反射鏡形状による反射特性の違いを説明するための断面図である。
【図１０】本発明の第２実施形態に係るランタンアタッチメント付き携帯電灯の概略構造を示す要部断面側面図である。
【図１１】図１０と同様の要部断面側面図であって、図１０と異なる状態を示すものである。
【発明を実施するための形態】
【００１５】
以下、図１から図９までの図に基づき本発明の第１実施形態に係るランタンアタッチメント付き携帯電灯の構造を説明する。
【００１６】
携帯電灯１は、電池を内蔵したグリップ部２に対し、発光部である発光ヘッド３を、図３に示すピボット軸４で角度変更可能に連結した構造である。発光ヘッド３は発光ダイオードからなるランプ５及び集光用反射鏡６を内蔵し、正面はレンズ７で覆われている。集光用反射鏡６とレンズ７は発光ヘッド３の筐体に対しねじリング８により締め付け固定される。グリップ部２はランプ５を点灯／消灯させるためのスイッチ９を有している。
【００１７】
発光ヘッド３にランタンアタッチメント１０が着脱自在に取り付けられる。ランタンアタッチメント１０は円錐台形状であり、直径の小さい方の端が発光ヘッド３への連結部１１、直径の大きい方の端が底面部１２として形成されている。連結部１１と底面部１２の間の部分は円錐形のスカート部１３となる。
【００１８】
スカート部１３は、透明樹脂のような光透過材料で形成される。第１実施形態ではスカート部１３と連結部１１が一体成型されており、連結部１１も光透過材料製ということになる。
【００１９】
図３に示す通り、ランタンアタッチメント１０の内面には、連結部１１とスカート部１３の境界に、発光ヘッド３を受け止めるための内フランジ１４が形成されている。連結部１１は円筒形であり、ねじリング８の肩部に係合するスナップフック１５が対向２箇所に配置されている。スナップフック１５は、図４に示す通り、ランタンアタッチメント１０の軸線方向に平行なスリット１６を２本、所定間隔で連結部１１に設けて形成される。
【００２０】
連結部１１に発光ヘッド３を押し付けると、スナップフック１５が外側に開いて連結部１１の中にねじリング８を受け入れる。ねじリング８の端が内フランジ１４に突き当たったところでスナップフック１５がねじリング８の肩部に係合し、携帯電灯１とランタンアタッチメント１０を連結状態とするものである。連結は、一方の手に携帯電灯１を持ち、他方の手にランタンアタッチメント１０を持って、両者を引き離すことにより、簡単に解除できる。
【００２１】
ランタンアタッチメント１０の底面部１２を構成するのは、スカート部１３の端と、そこに嵌合固定された反射鏡基材１７である。反射鏡基材１７はランプ５に正対する面が反射鏡１７ａとなっており、反射鏡１７ａはランプ５の方に突き出している。反射鏡基材１７は合成樹脂製であり、それにメッキや真空蒸着を施して反射鏡１７ａが形成される。
【００２２】
携帯電灯１にランタンアタッチメント１０を取り付け、底面部１２を下にしてテーブルや床、あるいは地面のような平面の上に置くと、その平面の上にランタンアタッチメント１０及び携帯電灯１は起立する。スイッチ９を操作してランプ５を点灯させると、ランプ５からの出射光が反射鏡１７ａで反射され、スカート部１３から周囲に向かう出射光に転換される。これにより、携帯電灯１の周囲が明るく照らし出されることになる。
【００２３】
ランプ５と集光用反射鏡６の組み合わせは、図８に示すような集光特性を有する。すなわち、ランプ５の光軸の周囲の狭い領域のみが高照度の集光部となり、その外側は低照度の非集光部となる。このような光に対し、図９のように、球面の反射鏡１７ａを組み合わせると、斜め上方に反射される光ばかり多くなり、横方向に向かう光が少なくなってしまう。このような事態を避けるため、反射鏡１７ａは図７に示す形状とされる。すなわち、ランプ５の光軸から中心がずれた円弧を想定し、その円弧を光軸のまわりにぐるりと１回転させる。すると、頂部の尖った凸曲面が形成される。これにより、図８の集光部の光がより横方向に角度付けされて反射されることになり、光の配分が改善される。
【００２４】
反射鏡１７ａは、中心部が上記のように形成された凸曲面となっている他、その凸曲面の裾野部分は、中心部分に比べてランプ５の光軸に対する角度が大きくなっている。これにより、非集光部の光は斜め上方に良く反射されることになる。
【００２５】
スカート部１３には光拡散用の凹凸パターンが形成される。第１実施形態では、図６に示す通り、スカート部１３の内面に、縦方向に延びるかまぼこ状断面の突条１８が一定ピッチで多数形成されている。突条１８は内フランジ１４の直下から反射鏡１７の直上までをカバーする長さを備える。突条１８が存在することにより、スカート部１３からの透過光が拡散され、反射鏡１７ａにランプ５が写ってまぶしさを感じる度合いが軽減される。
【００２６】
凹凸パターンはかまぼこ状断面の突条に限定されない。三角断面の突条であってもよいし、突条でなく溝であってもよい。点状の凸レンズまたは凹レンズが多数形成された構成でも良い。またランタンアタッチメント１０の内面でなく外面に設けてもよく、内外両面に設けてもよい。
【００２７】
本発明の第２実施形態を図１０、１１に示す。第１実施形態の携帯電灯１は、発光ヘッド３に着脱自在に取り付けられるランタンアタッチメント１０を備えていたが、第２実施形態の携帯電灯２０は、その筐体に分離不能に連結されるランタンアタッチメント３０を備える。すなわち携帯電灯２０は、ランプ２１を内蔵した発光ヘッド２２のみ直径が大きくなっており、その発光ヘッド２２をランタンアタッチメント３０が包み込む。ランタンアタッチメント３０は、携帯電灯２０の軸線方向における寸法が発光ヘッド２２よりも大きく、ランプ２１の光軸方向に沿って一定範囲のスライドが可能となっている。ランタンアタッチメント３０は反射鏡基材３１とレンズ３２を備える。反射鏡基材３１は、ランタンとして用いるときランプ２１に向かい合う面が反射鏡３１ａとされている他、その裏面は集光用反射鏡３１ｂとされている。反射鏡基材３１の中心にはランプ２１の通過を可能とする貫通穴３３が形成されている。
【００２８】
ランタンアタッチメント３０では、レンズ３２が存在する側の端が底面部、その反対側の端が連結部、その中間がスカート部ということになる。
【００２９】
図１０のようにランタンアタッチメント３０を引っ込めた状態では、ランプ２１は貫通穴３３を通って反射鏡３１ｂの側に突き出しており、ランプ２１が放つ光は集光用反射鏡３１ｂで前方に集光される。すなわち携帯電灯２０は通常の携帯電灯として機能する。図１１のようにランタンアタッチメント３０を前方に引き出すと、ランプ２１が貫通穴３３から抜け出し、反射鏡３１ａに向かい合う。これにより、ランプ２１からの出射光が反射鏡３１ａで反射されてランタンアタッチメント３０の周囲に向かう出射光に転換され、携帯電灯２０はランタンとして機能することになる。
【００３０】
第２実施形態の構造では、ランタンアタッチメント３０が携帯電灯２０から分離しないので、ランタンユニット３０を持参し損なったり、どこかに置き忘れたりといった失敗をしなくて済む。
【００３１】
以上、本発明の実施形態につき説明したが、本発明の範囲はこれに限定されるものではなく、発明の主旨を逸脱しない範囲で種々の変更を加えて実施することができる。
【産業上の利用可能性】
【００３２】
本発明はランタンアタッチメント付き携帯電灯に広く利用可能である。
【符号の説明】
【００３３】
１    携帯電灯
３    発光ヘッド（発光部）
５    ランプ
６    集光用反射鏡
７    レンズ
１０  ランタンアタッチメント
１１  連結部
１２  底面部
１３  スカート部
１７  反射鏡基材
１７ａ  反射鏡
１８  突条（凹凸パターン）
２０  携帯電灯
２１  ランプ
２２  発光ヘッド（発光部）
３０  ランタンアタッチメント
３１  反射鏡基材
３１ａ  反射鏡
３１ｂ  集光用反射鏡
３２  レンズ
３３  貫通穴
【図１】
2011228132.tif 000003
【図２】
2011228132.tif 000004
【図３】
2011228132.tif 000005
【図４】
2011228132.tif 000006
【図５】
2011228132.tif 000007
【図６】
2011228132.tif 000008
【図７】
2011228132.tif 000009
【図８】
2011228132.tif 000010
【図９】
2011228132.tif 000011
【図１０】
2011228132.tif 000012
【図１１】
2011228132.tif 000013